(57)【要約】      （修正有）【課題】硬貨・紙幣・キャッシュレス決済対応可能で、衝撃に弱い商品の販売も可能な冷蔵自動販売機を提供する。【解決手段】自動販売機１は、決済部１４と、電動モータと冷蔵室と、冷蔵室内に配置される一対のスパイラル部材であって、螺旋の向きが反対になっており、対向するピッチ間に商品を保持するようになっている、一対のスパイラル部材と、商品取り出し口１２０と、を備えており、一対のスパイラル部材は、電動モータの所定回転量の回転に応じて３６０度回転し、対向するピッチ間に保持された商品のうち、最先端側の商品が商品取り出し口１２０に搬送されるように構成されている。【選択図】図１
0003234897.tif 000002
【実用新案登録請求の範囲】
【請求項１】
所定の金額が決済される決済部と、
前記決済部において所定の金額が決済されると、所定回転量だけ回転する電動モータと、
内部が冷却される冷蔵室と、
前記冷蔵室内に配置される一対のスパイラル部材であって、螺旋の向きが反対になっており、対向するピッチ間に商品を保持するようになっている、一対のスパイラル部材と、
商品取り出し口と、を備え、
前記一対のスパイラル部材は、前記電動モータの所定回転量の回転に応じて３６０度回転し、対向する前記ピッチ間に保持された前記商品のうち、最先端側の商品が前記商品取り出し口に搬送されるように構成されている、自動販売機。
【請求項２】
所定の金額が決済される決済部と、
前記決済部において所定の金額が決済されると、所定回転量だけ回転する電動モータと、
内部が冷却される冷蔵室と、
前記冷蔵室内に配置される一対の無端ベルトラック部材であって、回転の向きが反対になっており、対向するラック間に商品を保持するようになっている、一対の無端ベルトラック部材と、
商品取り出し口と、を備え、
前記一対の無端ベルトラック部材は、前記電動モータの所定回転量の回転に応じて所定移動量だけ移動し、対向する前記ラック間に保持された前記商品のうち、最先端側の商品が前記商品取り出し口に搬送されるように構成されている、自動販売機。
【請求項３】
前記商品取り出し口には、緩衝材が配置されている、請求項１又は請求項２に記載された、自動販売機。
【請求項４】
前記決済部は、硬貨、紙幣、及び／又は、キャッシュレス決済可能となっている、請求項１乃至請求項３のいずれか一項に記載された、自動販売機。
【考案の詳細な説明】
【技術分野】
【０００１】
本考案は、衝撃に弱い商品でも販売できる自動販売機に関する。
【背景技術】
【０００２】
従来から、たまごやイチゴ等が販売可能な自動販売機として、ロッカー型自動販売機が知られている。ロッカー型自動販売機は、補充作業が容易であることや様々な形状・重量の商品も販売できること、さらに衝撃に弱い商品の販売も可能であるといった利点を有する（例えば、特許文献１参照）。
【先行技術文献】
【特許文献】
【０００３】
【特許文献１】特開平１０−０４０４５８号公報
【考案の概要】
【考案が解決しようとする課題】
【０００４】
しかし、特許文献１を含む従来のロッカー型自動販売機は、屋内専用機であることから、屋外に設置する際には、屋根が必須となる。また、従来のロッカー型自動販売機は、キャッシュレス決済が不可能であること、紙幣で決済できる機種のうち冷蔵タイプのものがないといった課題を有する。
【０００５】
そこで、本考案は、屋外設置可能で、硬貨・紙幣・キャッシュレス決済対応可能で、衝撃に弱い商品の販売も可能な冷蔵自動販売機を提供することを目的としている。
【課題を解決するための手段】
【０００６】
前述した課題を解決するために、本考案の第１実施形態の自動販売機は、所定の金額が決済される決済部と、前記決済部において所定の金額が決済されると、所定回転量だけ回転する電動モータと、内部が冷却される冷蔵室と、前記冷蔵室内に配置される一対のスパイラル部材であって、螺旋の向きが反対になっており、対向するピッチ間に商品を保持するようになっている、一対のスパイラル部材と、商品取り出し口と、を備え、前記一対のスパイラル部材は、前記電動モータの所定回転量の回転に応じて３６０度回転し、対向する前記ピッチ間に保持された前記商品のうち、最先端側の商品が前記商品取り出し口に搬送されるように構成されている。
【０００７】
また、本考案の第２実施形態の自動販売機は、所定の金額が決済される決済部と、前記決済部において所定の金額が決済されると、所定回転量だけ回転する電動モータと、内部が冷却される冷蔵室と、前記冷蔵室内に配置される一対の無端ベルトラック部材であって、回転の向きが反対になっており、対向するラック間に商品を保持するようになっている、一対の無端ベルトラック部材と、商品取り出し口と、を備え、前記一対の無端ベルトラック部材は、前記電動モータの所定回転量の回転に応じて所定移動量だけ移動し、対向する前記ラック間に保持された前記商品のうち、最先端側の商品が前記商品取り出し口に搬送されるように構成されている。
【考案の効果】
【０００８】
第１実施形態及び第２実施形態の自動販売機であれば、屋外設置可能で、衝撃に弱い商品の販売も可能な自動販売機となる。
【図面の簡単な説明】
【０００９】
【図１】実施例１の自動販売機の外部構成を説明する斜視図である。
【図２】実施例１の自動販売機の外扉を開放した状態の斜視図である。
【図３】実施例１の自動販売機の内部構成の説明図である。（ａ）は正面図であり、（ｂ）は側面図であり、（ｃ）は平面図である。
【図４】実施例２の自動販売機の内部構成の説明図である。（ａ）は正面図であり、（ｂ）は側面図であり、（ｃ）は平面図である。
【考案を実施するための形態】
【００１０】
以下、本発明の実施の形態について図面を参照して説明する。ただし、以下の実施例に記載されている構成要素は例示であり、本発明の技術範囲をそれらのみに限定する趣旨のものではない。
【実施例１】
【００１１】
（構成）
はじめに、実施例１の自動販売機１の構成について説明する。図１、図２に示すように、自動販売機１は、全体として金属製の直方体の筐体１０から形成されている。
【００１２】
筐体１０は、前面を開口した本体１１と、この本体の開口を開閉自在に覆う外扉１２と、を備えている。外扉１２の内部には、複数列（図２では４つ）の冷蔵室１３、・・・が横に並んで配置されている。なお、ここでは、冷蔵室１３を個別の列として記載するが、全体を１つの冷蔵室（１３）と定義することもできる。
【００１３】
筐体１０の外扉１２には、正面下部に購入された商品を取り出す商品取り出し口１２０と、正面上部に商品情報や広告などが表示される表示部１２１と、が設けられる。
【００１４】
外扉１２の正面側の中央には、商品取り出し口１２０と表示部１２１の間のスペースに、硬貨投入口１２ａと、紙幣投入口１２ｂと、キャッシュレス部１２ｃと、商品選択ボタン１２ｄと、つり銭口１２ｅと、が配置されている。さらに、図示しないが、内部には制御用の電気回路なども配置されている。
【００１５】
商品取り出し口１２０は、商品取り出し口１２０の内側の空間に落下した商品Ｇを、筐体１０の外部から取り出せるように構成されている。図１に示す例では、商品取り出し口１２０には、雨水等の浸入を防止する透明なフラップが設置されている。
【００１６】
そして、商品取り出し口１２０には、落下する商品Ｇへの衝撃を緩和するために、内側の空間の底面に緩衝材４０が設置されている。緩衝材４０としては、例えば、いわゆるスポンジ状のクッション性の素材を使用したり、表面のプレートと背面のバネを設置したりすることができる。なお、商品取り出し口１２０を通じて、収納されている商品Ｇまでは、手が届かないような形状になっている。
【００１７】
そして、本実施例の自動販売機１は、所定の金額が決済される決済部１４と、決済部１４において所定の金額が決済されると、所定回転量だけ回転する電動モータ（１５；不図示）と、内部が冷却される冷蔵室１３、・・・と、冷蔵室１３、・・・内に配置される一対のスパイラル部材２０、２０であって、螺旋の向きが反対になっており、対向するピッチ間に商品を保持するようになっている、一対のスパイラル部材２０、２０と、商品取り出し口１２０と、を備えている。
【００１８】
決済部１４は、上述した硬貨投入口１２ａと、紙幣投入口１２ｂと、キャッシュレス部１２ｃと、商品選択ボタン１２ｄと、つり銭口１２ｅと、内部の電気回路などから構成されている。さらに、決済部１４は、商品Ｇが取り出されるまでは、「販売中」を表示しないようになっている。
【００１９】
電動モータ（１５；不図示）は、決済部１４からの指令によって回転するように構成されている。すなわち、決済部１４で商品Ｇの価格以上の金銭が決済されると、対応する商品Ｇの電動モータ（１５）が所定の回転数だけ回転するようになっている。なお、電動モータ（１５）には、回転数を調整するための減速装置（ギヤボックス）が隣接配置されることも好ましい。
【００２０】
そして、一対のスパイラル部材２０、２０は、図３に示すように、金属などによって螺旋状に形成されるものであり、縦方向に設置されている。ここにおいて、「縦方向」とは、スパイラル部材２０の長さ方向が鉛直方向であることを意味する。換言すると、螺旋の中心軸線が鉛直方向に延びており、この鉛直方向の中心軸線の周りに回転する螺旋構造が形成されている。
【００２１】
２つのスパイラル部材２０、２０は、前後に距離を離して配置されており、間に商品Ｇを保持するようになっている。また、２つのスパイラル部材２０、２０は、螺旋の巻き方向が互いに逆になっており、電動モータ１５による回転方向も互いに逆方向になるように構成されている。
【００２２】
スパイラル部材２０の各ピッチ間には、商品Ｇが挟まれる（保持される）ようになっている。なお、商品Ｇは、設置場所や季節に応じて変化するため、スパイラル部材２０は、商品（容器）の形状に応じたピッチのものに交換できるようにされていることが好ましい。さらに、スパイラル部材２０のピッチ数は、特に限定されるものではないが、商品の形状・大きさ・数に応じて、例えば１０個〜５０個程度とすることができる。
【００２３】
そして、一対のスパイラル部材２０、２０は、電動モータ（１５）の所定回転量の回転に応じて３６０度回転し、対向するピッチ間に保持された商品Ｇのうち、最先端側（最下部）の商品Ｇが商品取り出し口１２０に落下されるように構成されている。この際、上述したように、スパイラル部材２０、２０は、互いに逆方向に回転するようになっている。
【００２４】
（使用例）
次に、本実施例の自動販売機１の動作について説明する。
【００２５】
はじめに、顧客は、硬貨投入口１２ａや紙幣投入口１２ｂに所定の金額を投入したうえで、商品選択ボタン１２ｄを押す。あるいは、商品選択ボタン１２ｄを押した直後に、キャッシュレス部１２ｃに、カード等を接触させる。すなわち、決済部１４によって、商品Ｇの代金が決済される。決済されると、電動モータ（１５）を所定回転量だけ回転させる指令が出される。
【００２６】
そうすると、一対のスパイラル部材２０、２０は、電動モータ１５の所定量の回転量に応じて、原点位置から次の原点位置まで３６０度回転する。より詳細に言うと、一対のスパイラル部材２０、２０は、それぞれ逆巻きに巻かれているため、各スパイラル部材２０は逆向きに３６０度回転する。この１回転によって、各ピッチ間の商品Ｇがスパイラル部材２０の１ピッチ分だけ下方に送り出される。そして、最下部のピッチ間に挟まれている商品Ｇは、下方に落下して商品取り出し口１２０へと搬送される。
【００２７】
この際、スパイラル部材２０によって１ピッチずつ順に商品Ｇが下方に送り出されるため、商品Ｇの落下する高低差は常に一定であり、高低差も小さくなっている。さらに、内部空間の底面に配置されている緩衝材４０によって、商品Ｇの落下の衝撃が緩和されるようになっている。
【００２８】
（効果）
次に、本実施例の自動販売機１の奏する効果を列挙して説明する。
（１）上述してきたように、本実施例の自動販売機１は、所定の金額が決済される決済部１４と、決済部１４において所定の金額が決済されると、所定回転量だけ回転する電動モータ１５と、内部が冷却される冷蔵室１３と、冷蔵室１３内に配置される一対のスパイラル部材２０、２０であって、螺旋の向きが反対になっており、対向するピッチ間に商品を保持するようになっている、一対のスパイラル部材２０、２０と、商品取り出し口１２０と、を備えており、一対のスパイラル部材２０、２０は、電動モータの所定回転量の回転に応じて３６０度回転し、対向するピッチ間に保持された商品Ｇのうち、最先端側の商品Ｇが商品取り出し口１２０に搬送されるように構成されている。このような構成であれば、屋外設置可能で、衝撃に弱い商品Ｇの販売も可能な自動販売機１となる。
【００２９】
すなわち、本考案の自動販売機１は、たまごやイチゴといった衝撃に弱い商品Ｇも販売可能で、現金またはキャッシュレス決済も可能で、屋外にも設置可能な自動販売機１となる。&#8195;
【００３０】
さらに、２つのスパイラル部材２０、２０の間に商品Ｇを保持するようになっているため、スパイラル部材２０、２０の間に、様々な寸法の商品Ｇを保持できるようになっている。
【００３１】
（２）また、商品取り出し口１２０には、緩衝材４０が配置されているため、商品Ｇの落下の際の衝撃を緩和することができる。さらに、そもそもスパイラル部材２０、２０の最下部のピッチ間の商品Ｇが落下する仕組みになっていることで、商品の落下高さを低く抑えることができる。
【００３２】
（３）さらに、決済部１４は、硬貨、紙幣、及び／又は、キャッシュレス決済可能となっているため、様々な決済手法で決済することによって、購入者の利便性が高まるうえ、購入者層の幅が広くなって売上向上も見込める。
【実施例２】
【００３３】
以下、図４を用いて、実施例１とは別の内部構造を有する自動販売機１Ａについて説明する。なお、前記実施の形態で説明した内容と同一乃至均等な部分の説明については同一符号を付して説明する。
【００３４】
（構成）
まず、本実施例の自動販売機１Ａの構成を説明する。自動販売機１Ａは、決済部１４と、電動モータ（１５；不図示）と、冷蔵室１３、・・・と、冷蔵室１３、・・・内に配置される一対の無端ベルトラック部材３０、３０であって、回転の向きが反対になっており、対向するラック３２、３２間に商品Ｇを保持するようになっている、一対の無端ベルトラック部材３０、３０と、商品取り出し口１２０と、を備えている。すなわち、実施例２では、実施例１のスパイラル部材２０の代わりに、無端ベルトラック部材３０を備えている（図１も参照）。
【００３５】
そして、一対の無端ベルトラック部材３０、３０は、図４に示すように、合成樹脂や合成ゴムなどによって構成されるループ状のベルト３１と、ベルト３１に等間隔に配置される複数のラック３２、・・・と、を備えている。無端ベルトラック部材３０は。縦方向に配置されている。ここにおいて、「縦方向」とは、ベルトラック部材３０のベルト３１の主動ギヤと従動ギヤが鉛直方向に離れて配置されることを意味する。換言すると、ラック３２が、鉛直方向に移動するようになっている。
【００３６】
２つの無端ベルトラック部材３０、３０は、前後に距離を離して配置されており、間に商品Ｇを保持するようになっている。また、２つの無端ベルトラック部材３０、３０は、回転の巻き方向が互いに逆になっており、電動モータ１５による回転方向も互いに逆方向になるように構成されている。
【００３７】
各ラック３２、３２間には、商品Ｇが載置される（保持される）ようになっている。なお、商品Ｇは、設置場所や季節に応じて変化するため、ラック３２は、商品（容器）の形状に応じたものに交換できるようにされていることが好ましい。さらに、ラック３２の数は、特に限定されるものではないが、商品の形状・大きさ・数に応じて、例えば１０個〜５０個程度とすることができる。
【００３８】
そして、一対の無端ベルトラック部材３０、３０は、電動モータ（１５）の所定回転量の回転に応じて１ラック３２分だけ下方に移動し、対向するラック３２、３２間に保持された商品Ｇのうち、最先端側（最下部）の商品Ｇが商品取り出し口１２０に落下されるように構成されている。この際、上述したように、無端ベルトラック部材３０、３０は、互いに逆方向に回転するようになっている。
【００３９】
（作用・効果）
次に、本実施例の自動販売機１Ａの奏する作用・効果について説明する。
【００４０】
（１）上述してきたように、本実施例の自動販売機１Ａは、所定の金額が決済される決済部１４と、決済部１４において所定の金額が決済されると、所定回転量だけ回転する電動モータ１５と、内部が冷却される冷蔵室１３と、冷蔵室１３内に配置される一対の無端ベルトラック部材３０、３０であって、回転の向きが反対になっており、対向するラック３２、３２間に商品Ｇを保持するようになっている、一対の無端ベルトラック部材３０、３０と、商品取り出し口１２０と、を備え、一対の無端ベルトラック部材３０、３０は、電動モータ１５の所定回転量の回転に応じて所定移動量だけ移動し、対向するラック３２、３２間に保持された商品Ｇのうち、最先端側の商品Ｇが商品取り出し口１２０に搬送されるように構成されている。このような構成であれば、屋外設置可能で、衝撃に弱い商品Ｇの販売も可能な自動販売機１Ａとなる。
【００４１】
なお、この他の構成および作用効果については、前記実施の形態と略同様であるため説明を省略する。
【００４２】
以上、図面を参照して、本発明の実施例を詳述してきたが、具体的な構成は、この実施例に限らず、本発明の要旨を逸脱しない程度の設計的変更は、本発明に含まれる。
【符号の説明】
【００４３】
１          自動販売機
１０        筐体
１１        本体
１２        外扉
１２０      商品取り出し口
１２１      表示部
１２ａ      硬貨投入口
１２ｂ      紙幣投入口
１２ｃ      キャッシュレス部
１２ｄ      商品選択ボタン
１２ｅ      つり銭口
１３        冷蔵室
１４        決済部
１５        電動モータ
２０        スパイラル部材
３０        ベルトラック部材
３１        ベルト
３２        ラック
４０        緩衝材
Ｇ          商品
【図１】
0003234897.tif 000003
【図２】
0003234897.tif 000004
【図３】
0003234897.tif 000005
【図４】
0003234897.tif 000006